(57)【特許請求の範囲】
【請求項１】
常設メモリを有しメモリカードを増設できる情報機器において、前記常設メモリと前記メモリカード内の不揮発性メモリの一方に格納された、圧縮したプログラム，他方に格納された、該圧縮したプログラムを圧縮前のプログラムに戻す解凍プログラム、および、上記メモリカードが装着されたとき前記圧縮したプログラムを前記解凍プログラムで圧縮前のプログラムに戻して前記メモリカード内の不揮発性メモリに書き込む制御手段、を備えたことを特徴とする情報機器。
【請求項２】
前記メモリカード内の不揮発性メモリに前記圧縮したプログラムを格納し、前記常設メモリに前記解凍プログラムを格納した、請求項１に記載の情報機器。
【請求項３】
メモリカード内の不揮発性メモリに前記解凍プログラムを格納し、前記常設メモリ内に前記圧縮されたプログラムを格納した請求項１に記載の情報機器。
【請求項４】
前記制御手段は、前記圧縮されたプログラムを前記圧縮前のプログラムに戻す解凍処理を、解凍処理の実施されたことを示す情報が設定されていない増設メモリカードに対してのみ、または増設メモリカードが最初に装着されたときのみ、電源投入時に実行する、請求項１乃至３のいずれか１つに記載の情報機器。
【請求項５】
前記制御手段は、電源オン時、前記メモリカードが装着されているか否かを判定し、装着されていれば前記メモリカードに機種コードが設定されているか否かを判定し、機種コードが設定されていなければ機種コードを設定し、設定されていれば該機種コードを本体の機種コードと比較し、一致していなければメモリカードが装着されていないものとして扱う、請求項１乃至３のいずれか１つに記載の情報機器。
【請求項６】
英語のワーディング情報が書き込まれている読み書き可能な常設不揮発性メモリと、要求に応じて通信網を介して送られてきた要求された言語のワーディング情報を取得するワーディング情報取得手段と、前記メモリカードが装着されているときは上記ワーディング情報取得手段によって取得された要求された言語のワーディング情報を前記メモリカードに書き込み、前記メモリカードが装着されていないときは前記常設不揮発性メモリ内の英語のワーディング情報を上記要求された言語のワーディング情報で書き換えるワーディング情報格納手段とを備えたファクシミリ装置である、請求項１乃至５のいずれか１つに記載の情報機器。
【請求項７】
前記メモリカードが装着されているとき、前記常設不揮発性メモリ内の英語のワーディング情報を前記メモリカードに移し、前記常設不揮発性メモリに、要求された言語のワーディング情報を書き込むワーディング情報格納手段を備えた、請求項６に記載の情報機器。
【請求項８】
前記メモリカードが装着されているときは、前記メモリカードに、要求された言語のワーディング情報を圧縮せずに書き込み、前記メモリカードが装着されていないときは、前記常設不揮発性メモリに上記ワーディング情報を圧縮して書き込んだ、請求項６に記載の情報機器。
【発明の詳細な説明】
【０００１】
【発明の属する技術分野】
本発明は、ファクシミリ装置、複写機、複合装置など、メモリカードを増設できる情報機器に係り、特に標準構成時のＲＯＭ容量を削減したり、情報機器の提供者が保証していない増設メモリカードの使用を不可にすることができる情報機器に関する。
【０００２】
【従来の技術】
利用者の多様な要求に応えるために、ファクシミリ装置のように、メモリカードを増設可能にした情報機器が普及している。このような、メモリカードを増設可能にした情報機器では、メモリカードを増設したとき、はじめて可能になる機能も提供されているが、従来、この機能を実現するプログラムはメモリカードの増設状況に係りなく、ＲＯＭなどの常設メモリ内に備えられている。一方、増設メモリカードについては、情報機器の提供者が情報機器との整合性をテストして品質保証したものを提供しているが、類似の増設メモリカードが当該情報機器の提供者以外からも提供されているので、整合性が保証されていない後者の増設メモリカードを、利用者が勝手に使用しているという状況がある。そのため、情報機器の提供者は、増設メモリカードの信号端子への信号割付けなどを独自にして増設メモリカードを提供するというようなことを行っている。
【０００３】
【発明が解決しようとする課題】
上述したような従来の情報機器では、増設メモリカードを使用するための特定のプログラムが内蔵ＲＯＭ内に記録されているため、増設メモリカードを使用しない利用者も不要なプログラムまで内蔵したＲＯＭを備えた情報機器を使用することになり、不要なプログラム分だけＲＯＭ容量が増加し、その分だけコストアップした情報機器を使用せねばならないという問題がある。また、情報機器の提供者が保証しないサードパーティーの増設メモリカードの使用を防ぐために、増設メモリカードの信号端子への信号割付けを独自にしたりしているが、当該情報機器の提供者以外の増設メモリカードの提供者が独自の信号割付けのメモリカードに合わせたメモリカードを提供することは容易なので、解決にはなっていない。
【０００４】
本発明の課題は、上記のような従来技術の問題を解決し、増設メモリカードを使用しない利用者向けの製品を低コスト化でき、且つ当該情報機器提供者の提供する保証された増設メモリカードだけを使用可能にした情報機器を提供することにある。
【０００５】
【課題を解決するための手段】
（１）常設メモリを有しメモリカードを増設できる情報機器において、前記常設メモリと前記メモリカード内の不揮発性メモリの一方に格納された、圧縮したプログラム，他方に格納された、該圧縮したプログラムを圧縮前のプログラムに戻す解凍プログラム、および、上記メモリカードが装着されたとき前記圧縮したプログラムを前記解凍プログラムで圧縮前のプログラムに戻して前記メモリカード内の不揮発性メモリに書き込む制御手段、を備えたことを特徴とする情報機器。
【０００６】
（２）前記メモリカード内の不揮発性メモリに前記圧縮したプログラムを格納し、前記常設メモリに前記解凍プログラムを格納した、上記（１）に記載の情報機器。
【０００７】
（３）メモリカード内の不揮発性メモリに前記解凍プログラムを格納し、前記常設メモリ内に前記圧縮されたプログラムを格納した上記（１）に記載の情報機器。
【０００８】
（４）前記制御手段は、前記圧縮されたプログラムを前記圧縮前のプログラムに戻す解凍処理を、解凍処理の実施されたことを示す情報が設定されていない増設メモリカードに対してのみ、または増設メモリカードが最初に装着されたときのみ、電源投入時に実行する、上記（１）乃至（３）のいずれか１つに記載の情報機器。
【０００９】
（５）前記制御手段は、電源オン時、前記メモリカードが装着されているか否かを判定し、装着されていれば前記メモリカードに機種コードが設定されているか否かを判定し、機種コードが設定されていなければ機種コードを設定し、設定されていれば該機種コードを本体の機種コードと比較し、一致していなければメモリカードが装着されていないものとして扱う、上記（１）乃至（３）のいずれか１つに記載の情報機器。
【００１０】
（６）英語のワーディング情報が書き込まれている読み書き可能な常設不揮発性メモリと、要求に応じて通信網を介して送られてきた要求された言語のワーディング情報を取得するワーディング情報取得手段と、前記メモリカードが装着されているときは上記ワーディング情報取得手段によって取得された要求された言語のワーディング情報を前記メモリカードに書き込み、前記メモリカードが装着されていないときは前記常設不揮発性メモリ内の英語のワーディング情報を上記要求された言語のワーディング情報で書き換えるワーディング情報格納手段とを備えたファクシミリ装置である、上記（１）乃至（５）のいずれか１つに記載の情報機器。
【００１１】
（７）前記メモリカードが装着されているとき、前記常設不揮発性メモリ内の英語のワーディング情報を前記メモリカードに移し、前記常設不揮発性メモリに、要求された言語のワーディング情報を書き込むワーディング情報格納手段を備えた、上記（６）に記載の情報機器。
【００１２】
（８）前記メモリカードが装着されているときは、前記メモリカードに、要求された言語のワーディング情報を圧縮せずに書き込み、前記メモリカードが装着されていないときは、前記常設不揮発性メモリに上記ワーディング情報を圧縮して書き込んだ、上記（６）に記載の情報機器。
【００１３】
【作用】
上記のように構成したので、上記（１）の情報機器では、増設メモリカード装着時に実行される圧縮前のプログラムを常設メモリ内に備えなくても増設メモリカード装着時の機能を実行できる。また、汎用の増設メモリカードを装着した場合は上記の機能を実行できない。解凍プログラムによって圧縮前のプログラムに戻されたプログラムは増設メモリカード内の不揮発性メモリに書き込まれる。上記（2）の情報機器では、メモリカード内の不揮発性メモリに圧縮したプログラムを格納し、常設メモリに解凍プログラムを格納した。上記（3）の情報機器では、メモリカード内の不揮発性メモリに解凍プログラムを格納し、常設メモリ内に圧縮されたプログラムを格納した。上記（４）の情報機器では、解凍処理未実施の増設メモリカードが装着された電源投入時のみ、解凍処理が行われる。上記（５）の情報機器では、他の機種用の増設メモリカードが装着された場合は、装着されていないものとして扱われる。上記（６）及び（７）記載のファクシミリ装置では、常設不揮発性メモリの容量が少なくても所望の言語のメッセージやレポートを出力でき、増設メモリカードを備えていれば、その他に英語のメッセージやレポートも出力できる。上記（８）記載のファクシミリ装置では、増設メモリカードを備えていない場合でも、英語および他の所望の言語のメッセージやレポートを出力できる。
【００１４】
【発明の実施の形態】
以下、図面により本発明の実施の形態例を詳細に説明する。図１は情報機器がファクシミリ装置の場合で示した本発明の第１の実施の形態例である。図示のように、このファクシミリ装置は、内蔵されたプログラムに従って装置全体を管理、制御する制御部１１、操作者がファクシミリ装置に指示を与えるためのキーボード及びファクシミリ装置が操作者にメッセージ等を与えるための表示手段などから成る操作表示部１２、スキャナ１４、該スキャナ１４から読み取った画情報を符号化或いは復号化する符号化復号化部（ＤＣＲ）１８、該ＤＣＲ１８によって符号化した画情報データ及び受信した符号化画情報データ或いは該符号化画像データをＤＣＲ１８によって復号化した画情報などを一時的に格納しておくＲＡＭ１３、ＤＣＲ１８によって復号化された受信画情報をＲＡＭ１３を介して出力するプロッタ１５、公衆電話網を介して遠隔のファクシミリ装置との間に呼を設定するための網制御装置（ＮＣＵ）１６、Ｇ３伝送手順に従ってファクシミリ送受信を行う通信制御部１７、低速モデム及び高速モデムから成るモデム１９、画情報を蓄積しておく画像メモリ２０などを備えている。また、画像メモリ２０の容量を増やすための増設メモリカード１を備える。
【００１５】
このようなファクシミリ装置でファクシミリを送信する場合は、まず制御部１１の制御に従ってスキャナ１４により画情報をＲＡＭ１３に読み込む。その画情報はＤＣＲ１８によって符号化され再びＲＡＭ１３に格納される。また、操作表示部１２により指定された宛先などの発呼時指定情報が制御部１１によって取得され、宛先情報を渡されたＮＣＵ１６は指定の宛先との間に呼を設定する。続いて、通信制御部１７により低速モデムを介してフェーズＢが実行され、やがてフェーズＣに移り、ＲＡＭ１３内の上記符号化された画情報データがモデム１９内の高速モデムにより変調され、ＮＣＵ１６を介して送出される。受信時は、ＮＣＵ１６により呼が設定された後、フェーズＢに入り、低速モデムを介して所定の交信が行われ、フェーズＣに入り、符号化された画情報データを受信する。その画情報データはＮＣＵ１６、通信制御部１７を介してＲＡＭ１３に格納され、更にＤＣＲ１８により復号化され、ＲＡＭ１３介してプロッタ１５に出力される。
【００１６】
増設メモリカード１は、図示のように、プログラムを内蔵した不揮発性メモリ（ＲＯＭ、ＰＲＯＭ、フラッシュメモリなど）２を備えている。上記プログラムは増設メモリカード１が装着されたときのみ実行されるプログラムで、このプログラムにより例えば自己転送機能、列信機能、マルチ部数出力機能などを実現する。自己転送機能とは、受信したファクシミリ画情報を一旦増設メモリカード１内に格納した後、予め操作表示部１２により設定した転送先ファクシミリ装置（例えば外出先のファクシミリ装置）宛に上記のファクシミリ画情報を転送する機能であり、列信機能とは、同一宛先向けの複数の原稿から読み取った画情報をいったん増設メモリカード１内に格納した後に１通信分のファクシミリとして送信する機能であり、マルチ部数出力機能とは、受信したファクシミリ画情報をいったん増設メモリカード１内に格納した後、操作表示部１２により出力部数を指示し、指示された部数分、上記画情報を出力するようにした機能である。いずれも相当の容量のメモリを必要とする機能であり、また必須の機能ではないので、増設メモリカード１を増設したときのみ実行される機能にしている。
【００１７】
図２に、第１の実施例の動作フローを示す。以下、図１および図２により第１の実施例の動作を説明する。まず、例えば操作表示部１２に表示されたメニューやキー押下などにより、実行したい機能を選択し（Ｓ１）、制御部１１は制御部１１内のフラッシュメモリなどにそれぞれの機能が常設機能かオプション機能（増設メモリカードを増設したときのみ可能な機能）かを予め登録したテーブルを参照し、選択された（指示された）機能がオプション機能か否か判定する（Ｓ２）。その結果、選択された機能がオプション機能ならば（Ｓ２、Ｙｅｓ）、増設メモリカード１が装着（増設）されているか否か判定する（Ｓ３）。この判定は、制御部１１が例えば増設メモリ装着位置の所定端子の信号レベルを判定することにより実現できる。増設メモリカード１が装着されていると判定されると（Ｓ３、Ｙｅｓ）、その後、増設メモリカード１内の選択された機能に対応したプログラムにジャンプし（Ｓ４）、制御部１１は不揮発性メモリ２内の上記プログラムに従って選択された（指示された）オプション機能を実行する（Ｓ５）。なお、増設メモリカード１が当該情報機器の提供者から提供された不揮発性メモリ２を内蔵した増設メモリカードでないならば、たとえ増設メモリカード１が装着されていると判定されても、ジャンプ後、プログラムを読み取ることができないので動作不能となる。
【００１８】
上記ステップＳ３で増設メモリカード１が装着されていないと判定されると（Ｓ３、Ｎｏ）、制御部１１は操作表示部１２に実行不可を表示して（Ｓ６）、終了となる。また、ステップＳ２でオプション機能でないと判定されると（Ｓ２、Ｎｏ）、制御部１１内のＲＯＭなど常設メモリ内のプログラムに従って常設機能が実行される（Ｓ７）。第１の実施の形態例によれば、このようにして、増設メモリカード１を使用して実行されるプログラムを常設メモリ内に備える必要がなくなるので、その分だけ常設メモリ（ＲＯＭなど）のコストが下がる。また、情報機器の提供者が保証していない増設メモリカードの使用を不可にすることができる。
【００１９】
図３は本発明の第２の実施の形態例を示す情報機器要部の構成ブロック図である。この実施例の情報機器では、増設メモリカード１を使用して実行されるプログラムは、圧縮された状態の圧縮プログラムの形態で制御部１１内の常設メモリ３内に備えられる（図４のメモリ空間マップ参照）。つまり、メモリ空間は、図４に示すように、ＲＡＭ領域ＡがＲＡＭ１３に、画像メモリ領域Ｂが画像メモリ２０および増設メモリカード１に、展開領域Ｃおよび解凍プログラム領域Ｄが増設メモリカード１内の不揮発性メモリ２ａに、圧縮プログラム領域Ｅ、常設プログラム領域Ｆ、および解凍プログラムＧが常設メモリ３（例えばＲＯＭ、ＰＲＯＭ、フラッシュメモリなど）に割り付けられる。なお、領域Ｅの圧縮プログラムは、領域Ｄの解凍プログラムにより圧縮前のプログラムに戻され、不揮発性メモリ２ａ内の展開領域Ｃに格納される。また、解凍プログラム領域Ｇには、常設プログラムを圧縮されたプログラムで備えた場合、その圧縮された常設プログラムを圧縮前のプログラムに戻す解凍プログラムが書き込まれる。
【００２０】
このように、第２の実施例の情報機器では常設メモリ３内に備えられる増設メモリカード使用時のプログラムは領域Ｅの圧縮プログラムだけなので、増設メモリカード１を使用しない場合の情報機器のコストをプログラムが圧縮されて常設メモリ３の容量を減らせる分だけ下げることができる。また、増設メモリカード１内には解凍プログラムを備えている必要があるので、情報機器の提供者が保証していない増設メモリカードの使用を不可にすることができる。また、第１の実施の形態例の増設メモリカード１の不揮発性メモリ２に、増設メモリカード１を使用して実行されるプログラムの圧縮プログラムを備える構成も可能である。この場合、解凍プログラムは不揮発性メモリ２内に備えてもよいし、常設メモリ３内に備えてもよい。また、圧縮前のプログラムに戻されたプログラムは増設メモリカード１内のＲＡＭ領域（領域Ｂの一部）または不揮発性メモリ２内に格納される。但し、後者の場合、不揮発性メモリ２はフラッシュメモリのように読み書き可能な不揮発性メモリで構成される。
【００２１】
圧縮プログラムを元に戻したプログラムをフラッシュメモリのような不揮発性メモリに格納する場合は、電源投入の度毎に元に戻す解凍処理をさせる必要がない。図５は、上記解凍処理を増設メモリカード装着時のみに実行させるようにした第３の実施の形態例の動作フロー図である。商用電源または５Ｖ電源が立ち上がったとき、制御部１１は、まず増設メモリカード装着ビットがオンか否かを判定する（Ｓ１１）。上記増設メモリカード装着ビットは例えば制御部１１内の常設メモリ３内に設定されているが、この情報機器が稼働を開始するとき（情報機器が提供者から利用者に提供されたとき）、上記増設メモリカード装着ビットはオフである。したがって、最初は、ステップＳ１１でＮｏと判定され、次いで増設メモリカード１が装着されているか否か判定され（Ｓ１２）、装着されていれば（Ｓ１２、Ｙｅｓ）、増設メモリカード装着ビットをオンにし（Ｓ１３）、圧縮プログラムを解凍し、展開する（Ｓ１４）。なお、ステップＳ１２で、増設メモリカード１が装着されていないと判定されたならば（Ｓ１２、Ｎｏ）、何もせずにこの動作フローを終了する。
【００２２】
増設メモリカード１が装着されていると、上記のように増設メモリカード装着ビットはオンに設定されるので（Ｓ１３）、その後、再び電源が投入されたときはいつでもステップＳ１１ではＹｅｓと判定され、この動作フローを終了する。装着されたままの増設メモリカード１にはステップＳ１４において圧縮プログラムが解凍・展開され、保持されているので、ここでは解凍処理が不要である。増設メモリカード１が外されて再び装着された場合もステップＳ１１ではＹｅｓと判定されるが、その場合も再び装着される増設メモリカード１には解凍・展開されたプログラムが保持されているので、解凍処理を行わずに終了しても問題ない。なお、この実施の形態例では、複数枚の増設メモリカードを交換使用しないものとしている。
【００２３】
図６は図５に代る他の実施の形態例の動作フロー図である。この例では制御部１１内に増設メモリカード装着ビットを設定する代りに、増設メモリカード１の所定領域に解凍済フラグを設定する。そして、電源投入時、増設メモリカード１が装着されていれば（Ｓ２１、Ｙｅｓ）、解凍済フラグがオンか否か判定し（Ｓ２２）、オンでなければ（Ｓ２２、Ｎｏ）、圧縮プログラムを解凍・展開し（Ｓ２３）、解凍済フラグをオンにして（Ｓ２４）終了する。なお、増設メモリカード１が装着されていないとき（Ｓ２１、Ｎｏ）、および解凍済フラグがオンのとき（Ｓ２２、Ｙｅｓ）は、何もせずにこの動作フローを終了する。ところで、増設メモリカード１に、例えば２ＭＢタイプとか４ＭＢタイプというように、異なるタイプがある場合は、図５に示す例の場合、不具合が発生する。すなわち、例えば最初に２ＭＢタイプの増設メモリカードを装着し、その後、電源を切って初めて４ＭＢタイプの増設メモリカードを使用しようとすると、その４ＭＢタイプの増設メモリカード内にまだ圧縮プログラムが解凍・展開されていないにもかかわらず、増設メモリカード装着ビットがオンになっているために、電源オン時、圧縮プログラムの解凍処理が行われないのである。この問題点を解決した例について以下説明する。
【００２４】
図７に示す動作フローの実施の形態例では、増設メモリカード装着ビットを設定する代りに、装着されている増設メモリカードタイプを常設メモリ３内に設定する。以下、図７に従ってこの実施例の動作を説明する。なお、各タイプの増設メモリカードはそれぞれ１枚のみ使用するものとする。この情報機器の稼働開始時には、増設メモリカード装着タイプは設定されていないので、最初、電源オン時に増設メモリカード装着タイプが設定されているか否かの判定で（Ｓ３１）、Ｎｏと判定され、次いで増設メモリカード１が装着されているか否か判定する（Ｓ３３）。このとき、増設メモリカード１が装着されていれば（Ｓ３３、Ｙｅｓ）、制御部１１はその増設メモリカード１のメモリカードタイプを増設メモリカード装着タイプとして常設メモリ３内に設定する（Ｓ３４）。そして、圧縮プログラムを解凍・展開する（Ｓ３５）。それに対して、ステップＳ３３で増設メモリカード１が装着されていないと判定されれば（Ｓ３３、Ｎｏ）、何もせずにこの動作フローを終了する。
【００２５】
増設メモリカード１が装着されていて増設メモリカード装着タイプが設定されているときに電源がオンすると、ステップＳ３１でＹｅｓと判定され、次いで、そのとき装着されている増設メモリカードタイプを増設メモリカードなどから取得し、設定されている増設メモリカード装着タイプと異なるタイプが取得されたか否か判定する（Ｓ３２）。そして、異なっていれば（Ｓ３２、Ｙｅｓ）、取得した増設メモリカードタイプを増設メモリカード装着タイプとして設定し（Ｓ３４）、圧縮プログラムを解凍・展開する（Ｓ３５）。それに対して、ステップＳ３２でＮｏと判定されると、ステップＳ３５で解凍・展開されていると判断し、解凍処理を行わずに終了する。なお、ステップＳ３２において、増設メモリカードが装着されていないために異なったメモリカードタイプが取得されなかったときも、Ｙｅｓという判定になるので、解凍処理を行わずに終了する。
【００２６】
こうして、図５〜図７に示す第３の実施の形態例では、解凍済のプログラムを電源投入毎に再び解凍することがなくなるので、電源投入時の待ち時間を少なくすることができる。
【００２７】
図８は本発明の第４の実施の形態例の動作フロー図である。これは、複数の機種が設置されていて、増設メモリカード１がそのどちらにも装着可能な場合、増設メモリカード１が誤った機種に装着されて誤動作するのを防ごうというものである。図８に示すように、この例では、電源が入ると（Ｓ４１）、増設メモリカード１が装着されているか否か判定し（Ｓ４２）、装着されていると（Ｓ４２、Ｙｅｓ）、その増設メモリカード１に機種コードが設定されているか否か判定する（Ｓ４３）。そして、機種コードが設定されていなければ（Ｓ４３、Ｎｏ）、制御部１１は本体に設定されている自情報機器の機種コードを設定する（Ｓ４７）。但し、この場合、自情報機器には自情報機器用の増設メモリカード１が装着されたものとする。ステップＳ４３において、機種コードが設定されているならば（Ｓ４３、Ｙｅｓ）、装着された増設メモリカード１内の機種コードが本体の制御部１１内の常設メモリなどに書き込まれている自情報機器の機種コード（本体の機種コード）に一致するか否か判定し（Ｓ４４）、一致するならば（Ｓ４４、Ｙｅｓ）、制御部１１内に備えられた増設メモリカード装着ビットをオンに設定する（Ｓ４６）。それに対して、機種コードが一致しないならば（Ｓ４４、Ｎｏ）、増設メモリカード装着ビットをオフに設定する（Ｓ４５）。なお、ステップＳ４２で増設メモリカード１が装着されていないと判定されたとき（Ｓ４２、Ｎｏ）も、増設メモリカード装着ビットをオフに設定する（Ｓ４５）。
【００２８】
その後の制御において、制御部１１は増設メモリカード１が装着されているか否かを増設メモリカード装着ビットがオンかオフかで判定する。つまり、機種コードの異なる増設メモリカード１が装着されているということは、増設メモリカード１が誤って装着されているということになるので、このような場合は増設メモリカード１が装着されていないことにして誤動作を防ぐものである。ところで、ファクシミリ装置などでは、表示部にメッセージを出力したり、記録紙に各種レポートを出力したりするが、この言語は例えばヨーロッパに設置されるファクシミリ装置の場合、英語若しくは設置先の母国語である。そのため、ファクシミリ装置のメモリには英語のワーディング情報を標準装備し、必要に応じて設置先の母国語も備えるようにしている。
【００２９】
しかしながら、後者の場合、そのためのメモリを備えておかねばならないのでコストアップになる。図９に示す第５の実施の形態例は上記のような問題を解決しようとするものであり、外部のサービス局から通信網を介して要求された言語（例えば母国語）のワーディング情報を取得するワーディング情報取得手段５を備え、取得された言語のワーディング情報を増設メモリカード１または読み書き可能な不揮発性メモリ（例えばフラッシュメモリ）４に書き込む。つまり、要求された言語のワーディング情報が取得されると、ワーディング情報格納手段６は、増設メモリカード１が装着されているか否か判定し、装着されていれば要求された言語のワーディング情報を増設メモリカード１に書き込み、装着されていなければ、不揮発性メモリ４に書き込まれていた英語のワーディング情報を要求された言語のワーディング情報で書き換える。
【００３０】
図１０に上記実施の形態例の動作フローを示す。なお、この動作フローの例では、ファクシミリ通信によりワーディング情報を取得しており、取得に先立ってサービス局に対し電話などにより所望の言語のワーディング情報の転送要求が出されるものとする。この要求を受けて、サービス局は、例えばＧ３ファクシミリ伝送制御手順のフェーズＢで転送される所定の信号（例えばＮＳＳ信号）でワーディング情報の転送である旨を通知し、次いでフェーズＣで画情報の代りにワーディング情報を転送する。したがって、この実施例のファクシミリ装置では、ファクシミリ受信が開始されると（Ｓ５１）、フェーズＢの信号受信時、ワーディング情報取得手段５はワーディング情報の転送である旨を示す通知が受信されたか否か判定し（Ｓ５２）、そのような通知が受信されなければ（Ｓ５２、Ｎｏ）、通常のファクシミリ受信を行い（Ｓ５７）、ワーディング情報の転送を示す通知が受信されれば（Ｓ５２、Ｙｅｓ）、フェーズＣで受信した情報をワーディング情報と判断して、ＲＡＭ１３内の所定領域に格納する（Ｓ５３）。
【００３１】
次いで、ワーディング情報格納手段６は、増設メモリカード１が装着されているか否か判定する（Ｓ５４）。そして、装着されていれば（Ｓ５４、Ｙｅｓ）、ＲＡＭ１３内に格納されているワーディング情報を増設メモリカード１内の不揮発性メモリ（例えばフラッシュメモリ）に書き込み（Ｓ５５）、装着されていなければ（Ｓ５４、Ｎｏ）、不揮発性メモリ４内に書き込まれていた英語のワーディング情報をＲＡＭ１３内の要求された言語のワーディング情報に書き換える（Ｓ５６）。この実施の形態例によれば、標準装備の不揮発性メモリ４の容量を少なくできると共に、増設メモリカード１が装着されていれば英語と要求した言語（例えば母国語）の２種のワーディング情報を備えることができる。
【００３２】
図１１に動作フローを示す第６の実施の形態例では、増設メモリカード１が装着されてなくて要求された言語のワーディング情報を常設の不揮発性メモリ４に書き込む場合、ワーディング情報を圧縮して書き込む。つまり、この実施例のファクシミリ装置は、図１１のステップＳ６１〜Ｓ６５およびＳ６７では図１０のステップＳ５１〜Ｓ５５およびＳ５７と全く同様に動作し、ステップＳ６４で増設メモリカード１が装着されていないと判定されると（Ｓ６４、Ｎｏ）、制御部１１はＲＡＭ１３内に格納されているワーディング情報を圧縮処理して不揮発性メモリ４に書き込む（Ｓ６６）。この際、不揮発性メモリ４に書き込まれている英語のワーディング情報をクリアしてもよいし、それを残したまま他の領域に書き込んでもよい。英語のワーディング情報も圧縮しておき、それをクリアして書き換えれば不揮発性メモリ４の容量を少なくできるし、また英語のワーディング情報をクリアせずに要求された言語のワーディング情報を追加しても、圧縮されているので、不揮発性メモリ４の容量は大容量にならないで済む。
【００３３】
図１２に、第６の実施の形態例の出力時の動作フローを示す。メッセージを表示出力しようとするとき、または各種レポートを記録紙に出力しようとするとき、図示したように、まず増設メモリカード１が装着されているか否か判定し（Ｓ７１）、装着されていれば（Ｓ７１、Ｙｅｓ）、制御部１１は増設メモリカード１内のワーディング情報をそのまま出力し（Ｓ７２）、装着されていないならば（Ｓ７１、Ｎｏ）、常設の不揮発性メモリ４内のワーディング情報を解凍処理して出力する（Ｓ７３）。なお、以上の説明において、ワーディング情報のサービスを受けるための通信手段はファクシミリ通信によったが、データモデムを備えて、データ通信によっても可能である。
【００３４】
【発明の効果】
以上説明したように、本発明によれば、第１に、増設メモリカード装着時に実行される圧縮前のプログラムを常設メモリ内に備えなくても増設メモリカード装着時の機能を実行できる。また、汎用の増設メモリカードを装着した場合は上記の機能を実行できない。したがって、増設メモリカードを使用しない利用者向けの製品を低コスト化でき、且つ当該情報機器提供者の提供する増設メモリカードだけを使用することになるので信頼性が向上する。第２に、増設メモリカード装着時に実行されるプログラムの圧縮プログラムを増設メモリカード内に備え、解凍プログラムを常設メモリ内に備えた構成でも、増設メモリカードを使用しない利用者向けの製品を低コスト化でき、且つ当該情報機器提供者の提供する増設メモリカードだけを使用することになるので信頼性が向上する。第３に、増設メモリカード装着時に実行されるプログラムの圧縮プログラムを常設メモリ内に備え、解凍プログラムを増設メモリカード内に備えた構成でも、増設メモリカードを使用しない利用者向けの製品を低コスト化でき、且つ当該情報機器提供者の提供する増設メモリカードだけを使用することになるので信頼性が向上する。第４に、上記において、解凍処理未実施の増設メモリカードが装着された電源投入時のみ、解凍処理が行われるので、そのとき以外の電源投入時の立上りは遅れない。第５に、他の機種用の増設メモリカードが装着された場合は、装着されていないものとして扱われるので、誤った増設メモリカード装着による誤動作を防止できる。
【００３５】
第６に、常設の不揮発性メモリの容量が少なくても所望の言語のメッセージやレポートを出力でき、増設メモリカードを備えていれば、その他に英語のメッセージやレポートも出力できるので、コストパフォーマンスが向上する。第７に、上記において増設メモリカードを備えていない場合でも、英語および他の所望の言語のメッセージやレポートを出力でき、この構成では、さらにコストパフォーマンスが向上する。
【図面の簡単な説明】
【図１】本発明の一実施例を示すファクシミリ装置の構成ブロック図。
【図２】本発明の一実施例を示すファクシミリ装置要部の動作フロー図。
【図３】本発明の一実施例を示すファクシミリ装置要部の構成ブロック図。
【図４】本発明の一実施例を示すファクシミリ装置要部の説明図。
【図５】本発明の一実施例を示すファクシミリ装置要部の他の動作フロー図。
【図６】本発明の他の実施例を示すファクシミリ装置要部の動作フロー図。
【図７】本発明の他の実施例を示すファクシミリ装置要部の動作フロー図。
【図８】本発明の一実施例を示すファクシミリ装置要部の他の動作フロー図。
【図９】本発明の一実施例を示すファクシミリ装置要部の他の構成ブロック図。
【図１０】本発明の一実施例を示すファクシミリ装置要部の他の動作フロー図。
【図１１】本発明の一実施例を示すファクシミリ装置要部の他の動作フロー図。
【図１２】本発明の一実施例を示すファクシミリ装置要部の他の動作フロー図。
【符号の説明】
１：増設メモリカード
２：不揮発性メモリ
３：常設メモリ
４：不揮発性メモリ
５：ワーディング情報取得手段
６：ワーディング情報格納手段
１１：制御部
２０：画像メモリ
【図１】
0003701067.tif 000002
【図２】
0003701067.tif 000003
【図３】
0003701067.tif 000004
【図４】
0003701067.tif 000005
【図５】
0003701067.tif 000006
【図６】
0003701067.tif 000007
【図７】
0003701067.tif 000008
【図８】
0003701067.tif 000009
【図９】
0003701067.tif 000010
【図１０】
0003701067.tif 000011
【図１１】
0003701067.tif 000012
【図１２】
0003701067.tif 000013